(57)【要約】【課題】引き出し式の貯蔵室の収納容器内の視認性を高め、使い勝手を向上した冷蔵庫を提供することを目的とする。【解決手段】貯蔵室内に配置された収納容器と、該収納容器を前記貯蔵室内から引き出す引き出し式扉と、前記収納容器内を照らす照明装置と、を備えた冷蔵庫において、前記照明装置は透明樹脂製カバーと、可視光線領域内にある波長の光線を発光する半導体発光素子を複数個実装した実装基板と、を有し、前記照明装置は前記貯蔵室を区画する上部仕切りの中央前方寄りの凹部に配置して、前記引き出し式扉を開いた状態で前記収納容器内を照らすことを特徴とする。【選択図】  図５
2012037074.tif 000002
【特許請求の範囲】
【請求項１】
貯蔵室内に配置された収納容器と、該収納容器を前記貯蔵室内から引き出す引き出し式扉と、前記収納容器内を照らす照明装置と、を備えた冷蔵庫において、
前記照明装置は透明樹脂製カバーと、可視光線領域内にある波長の光線を発光する半導体発光素子を複数個実装した実装基板と、を有し、
前記照明装置は前記貯蔵室を区画する上部仕切りの中央前方寄りの凹部に配置して、前記引き出し式扉を開いた状態で前記収納容器内を照らすことを特徴とする冷蔵庫。
【請求項２】
前記上部仕切りは、前記凹部を備えた樹脂成形品である仕切り部材と、該仕切り部材内の断熱材と、を備え、
前記透明樹脂製カバーは、前記仕切り部材に配置した際に、該仕切り部材よりも下方に凸にならないことを特徴とする、請求項１記載の冷蔵庫。
【請求項３】
貯蔵室内に配置された収納容器と、該収納容器を前記貯蔵室内から引き出す引き出し式扉と、前記収納容器内を照らす照明装置と、を備えた冷蔵庫において、
前記照明装置は透明樹脂製カバーと、可視光線領域内にある波長の光線を発光する半導体発光素子を複数個実装した実装基板と、を有し、
前記貯蔵室と該貯蔵室の上方の貯蔵室との間の前方に設置された前方仕切りを有し、該前方仕切の中央寄りの凹部に前記照明装置が配置され、前記引き出し式扉を開いた状態で前記収納容器内を照らすことを特徴とする冷蔵庫。
【請求項４】
前記透明樹脂製カバーの外周フランジ部と、前記上部仕切り又は前記前方仕切りの凹部との間にシール材を設けたことを特徴とする、請求項１〜３のいずれかに記載の冷蔵庫。
【請求項５】
前記半導体発光素子は左右方向に複数配置されており、且つ前記扉が引き出された状態における前記収納容器の前方側へ光軸を傾けて配置されたことを特徴とする、請求項１〜３のいずれかに記載の冷蔵庫。
【請求項６】
前記収納容器は上下に複数段配置され、前記半導体発光素子は、前記引き出し式扉を最大限まで引き出した状態で、前記複数の収納容器のうち最上段の収納容器の前方フランジ部まで照らすことを特徴とする、請求項１〜５のいずれかに記載の冷蔵庫。
【請求項７】
貯蔵室内に配置された収納容器と、該収納容器を前記貯蔵室内から引き出す引き出し式扉と、前記収納容器内を照らす照明装置と、スイッチ操作により前記引き出し式扉を開く扉開放機構と、前記引き出し式扉の開閉状態を検知する扉開閉検知手段と、を備えた冷蔵庫において、
前記照明装置は透明樹脂製カバーと、可視光線領域内にある波長の光線を発光する半導体発光素子を複数個実装した実装基板と、を有し、
前記照明装置は前記貯蔵室の上部仕切りの中央前方寄りの凹部に配置して、前記スイッチ操作に基づき前記照明装置が点灯して、前記引き出し式扉を開いた状態で前記収納容器内を照らすことを特徴とする冷蔵庫。
【発明の詳細な説明】
【技術分野】
【０００１】
本発明は、冷蔵庫に関する。
【背景技術】
【０００２】
最近の冷蔵庫は、上から冷蔵室，冷凍室，野菜室が配されたタイプのものが一般的であり、各貯蔵室の収納容器内の視認性を高め、使い勝手をよくするため、冷蔵室や野菜室内に照明装置を取付けたものが提案されている（例えば、特許文献１参照）。
【０００３】
この種の冷蔵庫に用いられる照明装置では、白熱電球等を光源としているため、発光時に大量の発熱を伴い冷却効率の悪化の原因となる。そこで、庫内照明装置の光源として白熱電球等に代えて発熱量の殆どない発光ダイオードなどの半導体発光素子を用いたものが提案されている。
【０００４】
また、特許文献２においては、引き出し式の貯蔵室に半導体発光素子を適用した照明装置の提案がされているが、具体的な構造の提案までには至っていない。
【０００５】
一方、食材のまとめ買い等に伴い、外形寸法を大きくせずに、省スペース且つ大容量化した冷蔵庫が求められている。よって、省スペース大容量に寄与する冷蔵庫の照明装置が必要となってきている。
【先行技術文献】
【特許文献】
【０００６】
【特許文献１】特開平１１−１３２６５０号公報
【特許文献２】特許第４４０９４１４号
【発明の概要】
【発明が解決しようとする課題】
【０００７】
引き出し式の貯蔵室に照明装置を配置する際の課題は大きく２つある。第一に照明装置の取付け構造・位置、第二に信頼性である。
【０００８】
まず、第一の課題について、照明装置が貯蔵室の天井面から凸になると、食品収納スペースが目減りしてしまう。食品収納スペースが目減りしてしまう。すなわち、照明装置が貯蔵室の天井面よりも凸になると、その凸部からの背面までの部分が無効食品収納スペースとなる。
【０００９】
一方、貯蔵室内の収納容器は食品を整理しやすくするよう複数段に構成している。この場合、半導体発光素子の性質上、照射の方向性が限られているため、上段容器に食品があると照明を遮ってしまい、下段容器の食品が見えにくい。そのため、複数の収納容器に食品が収納された場合でも、確実に照射する照明装置が必要である。
【００１０】
次に第二の課題について、高湿状態である引き出し式の野菜室に半導体発光素子を実装した実装基板を配置した場合、接点間の絶縁距離が短いため、電蝕が発生するおそれがある。
【００１１】
そこで本発明は、引き出し式の貯蔵室の収納容器内の視認性を高め、使い勝手を向上した冷蔵庫を提供することを目的とする。
【課題を解決するための手段】
【００１２】
前記課題を解決するために、例えば特許請求の範囲に記載の構成を採用する。本願は上記課題を解決する手段を複数含んでいるが、その一例を挙げるならば、貯蔵室内に配置された収納容器と、該収納容器を前記貯蔵室内から引き出す引き出し式扉と、前記収納容器内を照らす照明装置と、を備えた冷蔵庫において、前記照明装置は透明樹脂製カバーと、可視光線領域内にある波長の光線を発光する半導体発光素子を複数個実装した実装基板と、を有し、前記照明装置は前記貯蔵室を区画する上部仕切りの中央前方寄りの凹部に配置して、前記引き出し式扉を開いた状態で前記収納容器内を照らすことを特徴とする。
【発明の効果】
【００１３】
本発明によれば、引き出し式の貯蔵室の収納容器内の視認性を高め、使い勝手を向上した冷蔵庫を提供することができる。
【図面の簡単な説明】
【００１４】
【図１】本発明の実施の形態１から３に係る冷蔵庫の斜視図である。
【図２】本発明の実施形態１に係る引き出し式貯蔵室扉を引き出した状態における貯蔵室の縦断面図である。
【図３】図２における照明装置部の詳細図である。
【図４】図２における野菜室上部仕切り断熱厚さとの仕切り表面温度を示すグラフである。
【図５】図２における照明装置により、照明範囲を記載した縦断面図である。
【図６】本発明の実施形態１に係る貯蔵室の平面図である。
【図７】本発明の実施形態２に係る照明装置部の詳細図である。
【図８】本発明の実施形態２に係る引き出し式貯蔵室扉を引き出した状態における照明範囲を記載した縦断面図である。
【図９】本発明の実施形態２に係る貯蔵室の平面図である。
【図１０】本発明の実施形態３に係る扉開放機構により野菜室扉を引き出した状態における貯蔵室の縦断面図である。
【図１１】本発明の実施形態３に係る扉開放機構により下段冷凍室扉を引き出した状態における貯蔵室の縦断面図である。
【発明を実施するための形態】
【００１５】
以下、本発明の実施の形態について、図面を参照しながら説明する。
【実施例１】
【００１６】
まず、図１から図６を用いて、実施の形態１について説明する。図１において、１は冷蔵庫本体である。冷蔵庫本体１は、上から順に冷蔵室２，左右に設けた製氷室４及び上段冷凍室５，下段冷凍室６，野菜室７を有している。
【００１７】
また、各貯蔵室の前方開口には、該前方開口を開閉する扉が設けられている。すなわち、冷蔵室２の前方開口には、右冷蔵室扉２ａ及び左冷蔵室扉２ｂが設けられ、製氷室４，上段冷凍室５，下段冷凍室６，野菜室７の夫々の前方開口には、製氷室扉４ａ，上段冷凍室扉５ａ，下段冷凍室扉６ａ，野菜室扉７ａが夫々設けられている。
【００１８】
右冷蔵室扉２ａ及び左冷蔵室扉２ｂは、夫々冷蔵庫本体１の上部に設けられたヒンジ（図示せず）等によって、回転自在に軸支されている。すなわち観音開き式に構成された、いわゆるフレンチドアを構成している。また、製氷室扉４ａ，上段冷凍室扉５ａ，下段冷凍室扉６ａ，野菜室扉７ａは、夫々引き出し式の扉であって、夫々の貯蔵室の収納容器とともに引き出し自在である。
【００１９】
図４において、図示しないが、冷蔵庫本体１の奥側に冷却器，庫内ファン，ダクトにより、冷気を循環させ、各貯蔵室はそれぞれ所定の設定温度に冷却制御されている。冷却器へ冷媒を供給する圧縮機８は、冷蔵庫本体１の背面下部の機械室８ａに配置されている。
【００２０】
野菜室扉７ａには、扉内側から奥側に延びる左右一対の引き出し枠１９が取付けられて野菜室下段容器２５（収納容器）を保持している。引き出し枠１９は、野菜室７の側壁に形成したレール上を摺動することで、図４に示すように、野菜室扉７ａとともに野菜室下段容器２５が一体に庫外へ引き出されるようになっている。尚、他の引き出し式扉であっても同様の構造となっている。
【００２１】
上記構成の冷蔵庫において、下段冷凍室６と野菜室７は、仕切り１０ｂにより区画されている。仕切り１０ｂは、仕切り凹部１１ｂを備えた樹脂成形品と、その内部の仕切り断熱材１２によって構成させている。仕切り凹部１１ｂは、中央前方寄りに設けられている。仕切り断熱材１２は、ウレタンフォームもしくは発泡スチロール等から成り、冷凍温度帯（約−２０℃）、野菜室温度帯（約３℃）を仕切る断熱材である。この場合は、断熱性能が良いウレタンフォームを使用することが望ましい。
【００２２】
中央前方寄りに設けられた仕切り凹部１１ｂ内に、ネジ止め等の適宜の係止手段により照明装置３０ｂが取付けられる。仕切り１０ｂにはドアスイッチが取付けられており、このドアスイッチにより野菜室扉７ａの開閉状態を検知し、扉を開いた状態で照明装置３０ｂが点灯して野菜室下段容器２５を照明するようになっている。
【００２３】
次に、照明装置３０ｂ部周りの詳細について、図３を用いて説明する。照明装置３０ｂは、可視光線領域内にある波長の光線を発光する半導体発光素子３２を複数個実装した実装基板３１と、透明樹脂製ランプカバー３３により構成されている。実装基板３１は、コネクタ３５により、冷蔵庫本体１に設けた制御基板（図示せず）と接続されている。このとき、透明樹脂製ランプカバー３３は、野菜室７の天井面３６ｂ（仕切り１０ｂの下部）よりも凸にならぬように構成している。
【００２４】
透明樹脂製ランプカバー３３の外周フランジ部と仕切り凹部との間には、シール材３４を設けている。これは、照明装置３０ｂ内と貯蔵室である野菜室７とを遮蔽するために設けたシール材３４であり、湿気を遮蔽し、実装基板３１の表面の露付を防止するものである。材質は湿気を遮蔽することができれば、Ｏリングでもポリエチレンフォームでも構わない。
【００２５】
このシール材３４の必要性を、図４を用いて説明する。図４は野菜室温度２.６８℃、冷凍室温度−１９.７℃時の条件にて、ウレタンフォームの断熱厚さを横軸、温度を縦軸とし、仕切り凹部１１ｂの表面温度及び湿度８０％，８５％，９０％時のそれぞれの露点温度をプロットしたものである。
【００２６】
実装基板３１の表面に露付が発生すると、接点間の絶縁距離が短いため、電蝕が発生し、故障に至るおそれがある。そこで、露付を防止するためには、断熱厚さを確保することが望ましい。しかしながら野菜室７内に水分の多い葉物等を保存した場合、湿度９０％以上に至ることが知られており、湿度９０％にて露付が発生しない表面温度にするためには、高断熱性能であるウレタンフォームを使用しても３０mm以上の断熱厚さ（図５のｄ１寸法に該当する）が必要となる。更には照明装置３０ｂの高さは、省スペース化が図れる半導体発光素子３２を用いても尚、約１５mm（図５のｄ２寸法に該当する）必要であり、総じて４５mm以上の断熱厚さを必要とする。
【００２７】
断熱厚さを必要以上に大きくすることは、大容量化が求められている現在においては好ましくない。そこで、現状の断熱厚さ中で実装基板３１の露付防止を図るために、透明樹脂製ランプカバー３３の外周フランジ部と仕切り凹部との間に、シール材３４を設けることとする。また、シール材３４により、照明装置３０内の設けたコネクタ３５部の信頼性も合わせて確保することが可能となる。
【００２８】
また、半導体発光素子３２を複数個実装した実装基板３１は、図３に示すように、前後方向手前部へ光軸を角度φ１傾けて取付けられている。傾き角度φ１の関係について、図５を用いて説明する。図５は、図２における照明装置３０ｂにより、照明範囲を記載した縦断面図である。図５は、野菜室扉７ａを最大限（引き出し量Ｌ１）まで引き出して開けた際の状態である。野菜室７の収納容器は野菜室上段容器２４と野菜室下段容器２５により構成されている。
【００２９】
図５中には、半導体発光素子３２の配光角（半導体発光素子３２の照射範囲中にて最大光量の５０％以上の範囲とする）をθ１とし、実装基板３１の光軸を傾けずに垂直に設置した場合と、前後方向手前部へ光軸を角度φ１傾けて設置した場合について、照明範囲を記載している。本実施例では、角度φ１傾けて、照明装置３０ｂ（半導体発光素子３２）を凹部１１ｂに配置している。よって、野菜室上段容器２４の手前フランジ部２４ａまで照らすことが可能な関係となっている。
【００３０】
ここで、各寸法の一例を挙げれば、例えば、引き出し量Ｌ１を４２５mm、配光角θ１を１２０°、野菜室下段容器２５の底面と野菜室上段容器２４の手前フランジ部２４ａまでの高さＨ１を２６５mmとすれば、傾き角度φ１は２６°となる。
【００３１】
本実施形態では、引き出した状態の野菜室下段容器２５の後壁よりも光軸中心が前側に位置する。これにより、引き出した状態の収納容器（野菜室上段容器２４，野菜室下段容器２５）内を適切に照らすことができる。
【００３２】
図６は、本発明の実施形態１に係る野菜室の平面図を示す。半導体発光素子３２を左右横方向に複数配置することにより、収納容器（野菜室上段容器２４，野菜室下段容器２５）内の照明範囲を広げている。ここで一例を挙げれば、半導体発光素子３２の配光角θ１を１２０°、野菜室下段容器２５の底面と照明装置３０までの高さを２９０mm、野菜室下段容器の横幅６０８mmであれば、半導体発光素子３２，３２間のピッチ寸法を６８mmとすることにより、野菜室下段容器２５内を左右ムラなく照らすことが可能となる。
【００３３】
本実施形態では、左右方向に重複する照射範囲が大部分を占める。これにより、半導体発光素子３２，３２の光軸を複数有しつつも指向性が和らぎ、視認性を向上することができる。
【実施例２】
【００３４】
次に、図２及び図７から図９を用いて、実施の形態２について説明する。まず、図２において、下段冷凍室６内に照明装置３０ａを適用した場合の実施を以下説明する。上段冷凍室５と下段冷凍室６は、同じ冷凍温度帯である。仕切り１０ａは前方部のみに配置し、製氷室扉４ａ，上段冷凍室扉５ａ及び下段冷凍室扉６ａのシール材３４を受ける面の一部を構成している。すなわち、温度帯が共通のため、仕切り１０ａの後方は連通しており、各扉を受けるように前方に位置する。仕切り１０ａは、内部に仕切り断熱材１２ａを包括しており、仕切り断熱材１２ａの後方である仕切り凹部１１ａ内に、ネジ止め等の適宜の係止手段により照明装置３０ａが取付けられている。そして、仕切り１０ａに取付けられたドアスイッチにより、下段冷凍室扉６ａの開閉状態を検知し、扉が開いた状態で照明装置３０ａが点灯して、収納容器（下段冷凍室上段容器２１，下段冷凍室中段容器２２，下段冷凍室下段容器２３）内を照明するようになっている。
【００３５】
下段冷凍室扉６ａには、扉内側から奥側に延びる左右一対の引き出し枠１８が取付けられて下段冷凍室下段容器２３（収納容器）を保持している。引き出し枠１８は、下段冷凍室６の側壁に形成したレール上を摺動することで、図４に示すように、下段冷凍室扉６ａとともに下段冷凍室下段容器２３が一体に庫外へ引き出されるようになっている。尚、他の引き出し式扉であっても同様の構造となっている。
【００３６】
次に、照明装置３０ａ部周りの詳細について、図９を用いて説明する。照明装置３０ａは、可視光線領域内にある波長の光線を発光する半導体発光素子３２を複数個実装した実装基板３１と、透明樹脂製ランプカバー３３により構成されている。実装基板３１は、コネクタ３５により、冷蔵庫本体１に設けた制御基板（図示せず）と接続されている。このとき、透明樹脂製ランプカバー３３は仕切り下面３６ａよりも凸にならぬように構成している。
【００３７】
また、透明樹脂製ランプカバー３３の外周フランジ部と仕切り凹部との間にはシール材３４を設けている。これは照明装置３０ｂ内と貯蔵室である下段冷凍室６とを遮蔽するために設けたシール材である。実装基板３１が冷凍温度帯（約−２０℃）近くまで冷えているため、下段冷凍室扉６ａを開閉した際に、庫外にある多量の湿気があると、実装基板３１の表面に露付が発生するのを防止する目的である。図示していないが、仕切り凹部１１ａ内のコード出口部も同じく遮蔽していることは言うまでもない。また、シール材３４の材質は湿気を遮蔽することができれば、前述したようにＯリングでもポリエチレンフォームでも構わない。
【００３８】
また、半導体発光素子３２を複数個実装した実装基板３１は、前後方向手前部へ光軸を角度φ２傾けて取付けられている。傾き角度φ２の関係について、図８を用いて説明する。図８は、図２における照明装置により、照明範囲を記載した縦断面図である。下段冷凍室６の収納容器は、下段冷凍室上段容器２１と下段冷凍室中段容器２２と下段冷凍室上段容器２３により構成されている。図８は、下段冷凍室扉６ａを最大限（引き出し量Ｌ２）まで引き出して開けた際の状態である。本構成は、下段冷凍室扉６ａの引き出しに合わせて下段冷凍室中段容器２２も同期して引き出される構造である。
【００３９】
図８中には、半導体発光素子３２の配光角（半導体発光素子の照射範囲中にて最大光量の５０％以上の範囲とする）をθ２とし、実装基板３１の光軸を傾けずに垂直に設置した場合と、前後方向手前部へ光軸を角度φ２傾けて設置した場合について、照明範囲を記載している。このとき、冷凍室中段容器の手前フランジ部２４まで照らすことが可能な関係となっている。
【００４０】
ここで、各寸法の一例を挙げれば、例えば、引き出し量Ｌ２を４０５mm、配光角θ２を１２０°、下段冷凍室下段容器２３の底面と下段冷凍室中段容器２２の手前フランジ部２２ａまでの高さＨ２を２０７mmとすれば、傾き角度φ２は１８°となる。
【００４１】
本実施形態では、引き出した状態の下段冷凍室下段容器２３の後壁よりも光軸中心が前側に位置する。これにより、引き出した状態の収納容器（下段冷凍室上段容器２１，下段冷凍室中段容器２２，下段冷凍室上段容器２３）内を適切に照らすことができる。
【００４２】
図１１において、本発明の実施形態２に係る下段冷凍室の平面図を示した。半導体発光素子３２を左右横方向に複数配置することにより、収納容器内の照明範囲を広げている。
【００４３】
ここで、一例を挙げれば、導体発光素子３２の配光角θ２を１２０°、下段冷凍室下段容器２３の底面と照明装置３０までの高さを２９０mm、下段冷凍室下段容器の横幅６０１mmであれば、半導体発光素子３２間のピッチ寸法を６８mmとすることにより、下段冷凍室下段容器２３内を左右ムラなく照らすことが可能となる。
【００４４】
本実施形態では、左右方向に重複する照射範囲が大部分を占める。これにより、半導体発光素子３２，３２の光軸を複数有しつつも指向性が和らぎ、視認性を向上することができる。
【実施例３】
【００４５】
次に、実施の形態３は、実施の形態１（野菜室に適用）と実施の形態２（下段冷凍室に適用）に夫々扉開放機構を適用した形態である。以後、夫々の貯蔵室について纏めて説明する。
【００４６】
図１において、下段冷凍室６と野菜室７は、夫々の扉ハンドル部に扉開閉スイッチ操作部６１，７１を備えている。前記スイッチ操作部を押すことにより、下段冷凍室扉６ａと野菜室扉７ａを押して開く扉開放機構がある。
【００４７】
図２において、下段冷凍室６と野菜室７は、仕切り１０ａ，１０ｂによりそれぞれ区画されている。仕切り１０ａ，１０ｂは、凹部１１ａ，１１ｂをそれぞれ備えた樹脂成形品と断熱材１２ａ，１２ｂによって構成させている。仕切り凹部１１ａ，１１ｂ内に、ネジ止め等の適宜の係止手段により照明装置３０ａ，３０ｂが取付けられている。扉開閉検知部６３，７３により下段冷凍室扉６ａと野菜室扉７ａの開閉状態をそれぞれ検知し、扉を開いた状態で照明装置３０ａ，３０ｂが点灯して夫々の収納容器内を照明するようになっている。
【００４８】
照明装置３０ａ，３０ｂは、前述したように可視光線領域内にある波長の光線を発光する半導体発光素子３２を複数個実装した実装基板３１と、透明樹脂製ランプカバー３３により構成されている。このとき、透明樹脂製ランプカバー３３は貯蔵室の天井面３６よりも凸にならぬように構成している。
【００４９】
本実施形態では、扉開閉スイッチ操作部６１，７１を押すことにより、扉開放機構部６２，７２が動作し、夫々の扉を開く。この際、扉開閉検知部６３，７３が開閉状態を検知し、照明装置３０ａ，３０ｂが点灯して収納容器を照明するようになっている。
【００５０】
図１０は、本発明の実施形態３に係る扉開放機構７２により野菜室扉７ａを引き出した状態における貯蔵室の縦断面図である。野菜室７の収納容器は、野菜室上段容器２４と野菜室下段容器２５により構成されており、野菜室扉７ａを扉開放機構７２により引き出し量Ｌ３まで引き出して開けた際の状態である。この場合は引き出しに合わせて野菜室上段容器２４も同期して引き出される構造である。
【００５１】
図１０中には、半導体発光素子３２の配光角（半導体発光素子の照射範囲中にて最大光量の５０％以上の範囲とする）をθ３とし、実装基板３１の光軸を傾けずに垂直に設置した場合と、前後方向手前部へ光軸を角度φ３傾けて設置した場合について、照明範囲を記載している。このとき、野菜室上段容器２４の手前フランジ部２４ａまで照らすことが可能な関係となっている。
【００５２】
図１１は、本発明の実施形態３に係る扉開放機構により下段冷凍室扉６ａを引き出した状態における貯蔵室の縦断面図である。下段冷凍室扉６の収納容器は冷凍室上段容器２１と下段冷凍室中段容器２２と冷凍室２３により構成されており、下段冷凍室扉６ａを扉開放機構６２により引き出し量Ｌ４まで引き出して開けた際の状態である。この場合は引き出しに合わせて下段冷凍室中段容器２２も同期して引き出される構造である。
【００５３】
図１１中には、半導体発光素子３２の配光角（半導体発光素子の照射範囲中にて最大光量の５０％以上の範囲とする）をθ２とし、実装基板３１の光軸を傾けずに垂直に設置した場合と、前後方向手前部へ光軸を角度φ４傾けて設置した場合について、照明範囲を記載している。このとき、冷凍室中段容器の手前フランジ部２２ａまで照らすことが可能な関係となっている。
【００５４】
なお、本実施形態に用いられる半導体発光素子３２は、青色あるいは紫色ＬＥＤチップと蛍光体とからなるシングルチップ式の白色ＬＥＤであってもよい。あるいは、赤色，緑色，青色等の複数色のＬＥＤチップからなるマルチチップ式の白色ＬＥＤであってもよい。また、本実施形態に用いられる半導体発光素子３２は、プリント基板３１上に直接実施する表面実装型であるが、本発明はこれに限定されるものでなく、ステムに固着されたＬＥＤチップを砲弾型に成形したエポキシ樹脂内に封止してなる、いわゆる砲弾型のものであっても良い。
【００５５】
本発明によれば、引き出し式の貯蔵室を区画する上部仕切りに半導体発光素子を実装した実装基板で形成された照明装置を配置することにより、各貯蔵室の収納容器内の視認性を高め、使い勝手をよくした冷蔵庫を得ることができる。
【符号の説明】
【００５６】
１  冷蔵庫本体
２  冷蔵室
２ａ  右冷蔵室扉
２ｂ  左冷蔵室扉
４  製氷室
４ａ  製氷室扉
５  上段冷凍室
５ａ  上段冷凍室扉
６  下段冷凍室
６ａ  下段冷凍室扉
７  野菜室
７ａ  野菜室扉
８  圧縮機
１０ａ，１０ｂ  仕切り
１１ａ，１１ｂ  仕切り凹部
１２ａ，１２ｂ  仕切り断熱材
１８，１９  引き出し枠
２１  下段冷凍室上段容器
２２  下段冷凍室中段容器
２２ａ，２４ａ  手前フランジ部
２３  下段冷凍室下段容器
２４  野菜室上段容器
２５  野菜室下段容器
３０ａ，３０ｂ  照明装置
３１  実装基板
３２  半導体発光素子
３３  透明樹脂製ランプカバー
３４  シール材
３５  コネクタ
３６ａ  仕切り下面
３６ｂ  天井面
６１，７１  扉開閉スイッチ操作部
６２，７２  扉開放機構部
６３，７３  扉開閉検知部
【図１】
2012037074.tif 000003
【図２】
2012037074.tif 000004
【図３】
2012037074.tif 000005
【図４】
2012037074.tif 000006
【図５】
2012037074.tif 000007
【図６】
2012037074.tif 000008
【図７】
2012037074.tif 000009
【図８】
2012037074.tif 000010
【図９】
2012037074.tif 000011
【図１０】
2012037074.tif 000012
【図１１】
2012037074.tif 000013